(57)【要約】【課題】視認性および操作性を向上することのできる画像形成装置および画像形成装置の制御プログラムを提供する。【解決手段】画像形成装置は、スクロール表示領域である領域ＲＧ１に表示された特定のキーＫＹ１を通じてジョブの条件の設定を受け付けた場合に、キーＫＹ１を通じて設定を受け付けたジョブの条件に関連付けられた他の条件であって、キーＫＹ３を通じて設定を受付可能な他の条件を変更する。画像形成装置は、設定を受け付ける際に領域ＲＧ１の上下方向の端部に表示されているキーＫＹ２であって、領域ＲＧ１におけるキーＫＹ１に隣接する位置にキーＫＹ３を移動して表示した場合に領域ＲＧ１から消去されることが予測されるキーＫＹ２と、設定を受け付けたジョブの条件との関連性の有無に基づいて、他の条件を変更した後も領域ＲＧ１にキーＫＹ２を表示し続けるか否かを判別する。【選択図】図７
2020075452.tif 000002
【特許請求の範囲】
【請求項１】
スクロール表示対象として所定の方向に配列した複数のキーであって、ジョブの条件の設定を受付可能な複数のキーの一部を表示したスクロール表示領域を含む操作画面を表示する画面表示手段と、
前記操作画面への操作を受け付ける操作受付手段と、
前記操作画面へのスクロール操作を前記操作受付手段にて受け付けた場合に、前記スクロール表示領域に表示されるキーを前記所定の方向にスクロールさせるスクロール手段と、
前記スクロール表示領域に表示された特定のキーを通じてジョブの条件の設定を受け付ける設定受付手段と、
前記設定受付手段にて設定を受け付けた場合に、前記特定のキーを通じて設定を受け付けたジョブの条件に関連付けられた他の条件であって、前記複数のキーのうち前記特定のキーとは異なる他のキーを通じて設定を受付可能な他の条件を変更する変更手段と、
前記設定受付手段にて設定を受け付ける際に前記スクロール表示領域の前記所定の方向の端部に表示されている端部キーであって、前記スクロール表示領域における前記特定のキーに隣接する位置に前記他のキーを移動して表示した場合に前記スクロール表示領域から消去されることが予測される端部キーと、前記設定受付手段にて設定を受け付けたジョブの条件との関連性の有無に基づいて、前記変更手段にて前記他の条件を変更した後も前記スクロール表示領域に前記端部キーを表示し続けるか否かを判別する表示判別手段とを備えた、画像形成装置。
【請求項２】
前記スクロール表示領域に前記端部キーを表示し続けないと前記表示判別手段にて判別した場合に、前記スクロール表示領域における前記特定のキーに隣接する位置に前記他のキーを移動して表示することで、前記スクロール表示領域から前記端部キーを消去するキー移動手段と、
前記スクロール表示領域に前記端部キーを表示し続けると前記表示判別手段にて判別した場合に、前記他のキーを移動しないことで、前記スクロール表示領域に前記端部キーを表示し続けるキー表示手段とをさらに備えた、請求項１に記載の画像形成装置。
【請求項３】
前記所定の方向に配列した前記複数のキーにおいて、前記他のキーと前記特定のキーとの位置関係を判別する第１の位置判別手段をさらに備え、
前記キー移動手段は、
前記他のキーの位置が前記特定のキーの一の側に存在すると前記第１の位置判別手段にて判別した場合に、前記スクロール表示領域における前記特定のキーの前記一の側に隣接する位置に前記他のキーを移動して表示する第１のキー移動手段と、
前記他のキーの位置が前記特定のキーの他の側に存在すると前記第１の位置判別手段にて判別した場合に、前記スクロール表示領域における前記特定のキーの前記他の側に隣接する位置に前記他のキーを移動して表示する第２のキー移動手段とを含む、請求項２に記載の画像形成装置。
【請求項４】
前記スクロール表示領域に前記端部キーを表示し続けると前記表示判別手段にて判別した場合に、前記他の条件が変更されたことを通知する通知手段をさらに備えた、請求項２または３に記載の画像形成装置。
【請求項５】
前記通知手段は、前記他の条件が変更されたことを通知するポップアップを表示する、請求項４に記載の画像形成装置。
【請求項６】
前記所定の方向に配列した前記複数のキーにおいて、前記他のキーと前記特定のキーとの位置関係を判別する第２の位置判別手段をさらに備え、
前記通知手段は、
前記他のキーの位置が前記特定のキーの一の側に存在すると前記第２の位置判別手段にて判別した場合に、前記スクロール表示領域における前記特定のキーの前記一の側に前記ポップアップを表示する第１のポップアップ表示手段と、
前記他のキーの位置が前記特定のキーの他の側に存在すると前記第２の位置判別手段にて判別した場合に、前記スクロール表示領域における前記特定のキーの前記他の側に前記ポップアップを表示する第２のポップアップ表示手段とを含む、請求項５に記載の画像形成装置。
【請求項７】
前記操作画面は、前記スクロール表示領域とは異なる他の領域をさらに含み、
前記通知手段は、前記ポップアップの背景を半透明にし、かつ前記ポップアップをスクロール表示領域および前記他の領域上に表示する、請求項５または６に記載の画像形成装置。
【請求項８】
前記通知手段は、前記他の条件が変更されたことを通知するメッセージを前記スクロール表示領域とは異なる領域に表示する、請求項４〜７のいずれかに記載の画像形成装置。
【請求項９】
前記通知手段は、前記他の条件が変更されたことを音声で通知する、請求項４〜８のいずれかに記載の画像形成装置。
【請求項１０】
前記表示判別手段による判別結果にかかわらず、前記スクロール表示領域における前記特定のキーに隣接する位置に前記他のキーを移動して表示するキー移動手段と、
前記スクロール表示領域に前記端部キーを表示し続けると前記表示判別手段にて判別した場合に、前記スクロール表示領域に表示されるキーの前記所定の方向のサイズを縮小することにより、前記変更手段にて前記他の条件を変更した後も前記スクロール表示領域に前記端部キーを表示し続ける縮小表示手段とを備えた、請求項１に記載の画像形成装置。
【請求項１１】
ジョブの条件と前記複数のキーに含まれるキーとを互いに関連付けた情報である関連性情報を記憶する記憶装置をさらに備え、
前記関連性情報において、前記設定受付手段にて設定を受け付けたジョブの条件に前記端部キーが関連付けられている場合、前記表示判別手段は前記端部キーを表示し続けると判別し、
前記関連性情報において、前記設定受付手段にて受け付けた設定に前記端部キーが関連付けられていない場合、前記表示判別手段は前記端部キーを表示し続けないと判別する、請求項１〜１０のいずれかに記載の画像形成装置。
【請求項１２】
前記記憶装置は、ユーザーごとに異なる前記関連性情報を記憶し、
ユーザーの認証を行う認証手段をさらに備え、
前記表示判別手段は、前記認証手段にて認証したユーザーの前記関連性情報を用いて、前記端部キーを表示し続けるか否かを判別する、請求項１１に記載の画像形成装置。
【請求項１３】
前記記憶装置は、利用用途に応じて異なる前記関連性情報を記憶し、
ジョブに使用する原稿の情報、または前記設定受付手段にて設定を受け付ける前に入力された情報に基づいて、利用用途を検出する用途検出手段をさらに備え、
前記表示判別手段は、前記用途検出手段にて検出した利用用途に適した前記関連性情報を用いて、前記端部キーを表示し続けるか否かを判別する、請求項１１に記載の画像形成装置。
【請求項１４】
前記表示判別手段は、前記設定受付手段にて設定を受け付ける前に前記端部キーを通じてジョブの条件の設定を受け付けている場合には、前記端部キーと、前記設定受付手段にて設定を受け付けたジョブの条件との関連性の有無にかかわらず、前記スクロール表示領域に前記端部キーを表示し続けないと判別する、請求項１〜１３のいずれかに記載の画像形成装置。
【請求項１５】
スクロール表示対象として所定の方向に配列した複数のキーであって、ジョブの条件の設定を受付可能な複数のキーの一部を表示したスクロール表示領域を含む操作画面を表示する画面表示手段と、前記操作画面への操作を受け付ける操作受付手段と、前記操作画面へのスクロール操作を前記操作受付手段にて受け付けた場合に、前記スクロール表示領域に表示されるキーを前記所定の方向にスクロールさせるスクロール手段とを備えた画像形成装置の制御プログラムであって、
前記制御プログラムは、
前記スクロール表示領域に表示された特定のキーを通じてジョブの条件の設定を受け付ける設定受付ステップと、
前記設定受付ステップにて設定を受け付けた場合に、前記特定のキーを通じて設定されたジョブの条件に関連付けられた他の条件であって、前記複数のキーのうち前記特定のキーとは異なる他のキーを通じて設定を受付可能な他の条件を変更する変更ステップと、
前記設定受付ステップにて設定を受け付ける際に前記スクロール表示領域の前記所定の方向の端部に表示されている端部キーであって、前記スクロール表示領域における前記特定のキーに隣接する位置に前記他のキーを移動して表示した場合に前記スクロール表示領域から消去されることが予測される端部キーと、前記設定受付ステップにて設定を受け付けたジョブの条件との関連性の有無に基づいて、前記変更ステップにて前記他の条件を変更した後も前記スクロール表示領域に前記端部キーを表示し続けるか否かを判別する表示判別ステップとをコンピューターに実行させるための、画像形成装置の制御プログラム。
【発明の詳細な説明】
【技術分野】
【０００１】
本発明は、画像形成装置および画像形成装置の制御プログラムに関する。より特定的には、本発明は、視認性および操作性を向上することのできる画像形成装置および画像形成装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
画像形成装置は一般に、像担持体上に形成した静電潜像を現像装置によって現像してトナー像を形成し、このトナー像を記録媒体へ転写した後、定着装置によってトナー像を用紙に定着させることにより、記録媒体に画像を形成する。
【０００４】
今日、画像形成装置の中にはタッチパネル式の操作パネルが搭載されたものが存在する。ユーザーは操作パネルの操作画面に表示されたキーをタッチすることで、そのキーに関連付けられた項目のジョブの条件を設定することができる。
【０００５】
画像形成装置の性能の向上に伴い、ユーザーが設定可能なジョブの条件の項目が増加しており、全ての項目のキーを操作画面に一度に表示することができなくなっている。このため、複数のキーを所定の方向に配列した状態で複数のキーの一部を操作画面のスクロール表示領域に表示し、スクロール表示領域へのスクロール操作を受け付けた場合に、スクロール表示領域に表示されるキーを複数のキーの配列方向にスクロールさせる表示態様（以降、スクロール表示態様と記すことがある）が採用されている。
【０００６】
スクロール表示態様に関する従来技術は、たとえば下記特許文献１および２などに開示されている。下記特許文献１には、画像形成装置は、スクロール表示領域およびウィンドウ表示領域を有する画面を表示する画面表示部と、一列に並ぶ操作キーの配列の一部分をスクロール表示領域において表示するキー表示部と、スクロール表示部と、表示されている複数の操作キーのいずれかを選択する操作に応答して、選択された操作キーに対応するウィンドウを表示し、複数の操作キーが選択された場合に選択された操作キーに対応する複数のウィンドウを並べて表示するウィンドウ表示部と、当該表示されているウィンドウに対応する操作キー以外の操作キーを選択する操作に応答して、最後に選択された操作キーが当該表示されているウィンドウに対応する操作キーの隣に並んで表示されるように、操作キーの並びの順序を変更するキー順序変更部とを有する画像形成装置が開示されている。
【０００７】
下記特許文献２には、横方向に配列した複数の機能キーを横方向にスクロール可能に表示する機能キー表示領域と、機能キー表示領域に表示された複数の機能キーの各々に対応する複数のアイコンであって、機能キー表示領域に表示された複数の機能キーと同じ順序で横方向に配列した複数のアイコンを表示するアイコン表示領域とを含むマップスクローラー画面を表示する画像処理装置が開示されている。この画像処理装置は、複数の機能の設定を受け付けた場合に、設定を受け付けた機能に対応する機能キーおよびアイコンを、マップスクローラー画面において集約して表示する。
【先行技術文献】
【特許文献】
【０００８】
【特許文献１】特開２０１２−８１６４９号公報
【特許文献２】特開２０１４−１０２７８１号公報
【発明の概要】
【発明が解決しようとする課題】
【０００９】
画像形成装置は、ジョブの条件（後設定）が設定された場合に、設定された条件に関連する他の条件（先設定）を、ユーザーの操作を介さずに自動的に変更することがある（以降、この動作を後優先動作と記すことがある）。後優先動作によって他の条件を変更した場合には、他の条件を変更した事実をユーザーに通知することが望ましい。この通知の方法には、先設定の変更前に警告を表示しユーザーに変更の有無を確認する方法、先設定の変更後に自動で設定を変更した旨のメッセージを表示する方法などがある。
【００１０】
さらに、この通知の方法としては、先設定に関連するキーがスクロール表示領域に表示されていない場合に、先設定に関連するキーを、スクロール表示領域における後設定に関連するキーに隣接する位置に移動して表示する方法も考えられる。しかしこの方法では、スクロール表示領域におけるスクロール方向の端部に表示されていたキーが、先設定に関連するキーの移動によってスクロール表示領域から押し出され、表示されなくなる。ユーザーの操作手順によっては、ユーザーが次に操作したいと思っていたジョブの条件に関連するキーがスクロール表示領域から突如消える事態となる。ユーザーは消えたキーを探さなければならず、視認性および操作性が低下するという問題があった。
【００１１】
本発明は、上記課題を解決するためのものであり、その目的は、視認性および操作性を向上することのできる画像形成装置および画像形成装置の制御プログラムを提供することである。
【課題を解決するための手段】
【００１２】
本発明の一の局面に従う画像形成装置は、スクロール表示対象として所定の方向に配列した複数のキーであって、ジョブの条件の設定を受付可能な複数のキーの一部を表示したスクロール表示領域を含む操作画面を表示する画面表示手段と、操作画面への操作を受け付ける操作受付手段と、操作画面へのスクロール操作を操作受付手段にて受け付けた場合に、スクロール表示領域に表示されるキーを所定の方向にスクロールさせるスクロール手段と、スクロール表示領域に表示された特定のキーを通じてジョブの条件の設定を受け付ける設定受付手段と、設定受付手段にて設定を受け付けた場合に、特定のキーを通じて設定を受け付けたジョブの条件に関連付けられた他の条件であって、複数のキーのうち特定のキーとは異なる他のキーを通じて設定を受付可能な他の条件を変更する変更手段と、設定受付手段にて設定を受け付ける際にスクロール表示領域の所定の方向の端部に表示されている端部キーであって、スクロール表示領域における特定のキーに隣接する位置に他のキーを移動して表示した場合にスクロール表示領域から消去されることが予測される端部キーと、設定受付手段にて設定を受け付けたジョブの条件との関連性の有無に基づいて、変更手段にて他の条件を変更した後もスクロール表示領域に端部キーを表示し続けるか否かを判別する表示判別手段とを備える。
【００１３】
上記画像形成装置において好ましくは、スクロール表示領域に端部キーを表示し続けないと表示判別手段にて判別した場合に、スクロール表示領域における特定のキーに隣接する位置に他のキーを移動して表示することで、スクロール表示領域から端部キーを消去するキー移動手段と、スクロール表示領域に端部キーを表示し続けると表示判別手段にて判別した場合に、他のキーを移動しないことで、スクロール表示領域に端部キーを表示し続けるキー表示手段とをさらに備える。
【００１４】
上記画像形成装置において好ましくは、所定の方向に配列した複数のキーにおいて、他のキーと特定のキーとの位置関係を判別する第１の位置判別手段をさらに備え、キー移動手段は、他のキーの位置が特定のキーの一の側に存在すると第１の位置判別手段にて判別した場合に、スクロール表示領域における特定のキーの一の側に隣接する位置に他のキーを移動して表示する第１のキー移動手段と、他のキーの位置が特定のキーの他の側に存在すると第１の位置判別手段にて判別した場合に、スクロール表示領域における特定のキーの他の側に隣接する位置に他のキーを移動して表示する第２のキー移動手段とを含む。
【００１５】
上記画像形成装置において好ましくは、スクロール表示領域に端部キーを表示し続けると表示判別手段にて判別した場合に、他の条件が変更されたことを通知する通知手段をさらに備える。
【００１６】
上記画像形成装置において好ましくは、通知手段は、他の条件が変更されたことを通知するポップアップを表示する。
【００１７】
上記画像形成装置において好ましくは、所定の方向に配列した複数のキーにおいて、他のキーと特定のキーとの位置関係を判別する第２の位置判別手段をさらに備え、通知手段は、他のキーの位置が特定のキーの一の側に存在すると第２の位置判別手段にて判別した場合に、スクロール表示領域における特定のキーの一の側にポップアップを表示する第１のポップアップ表示手段と、他のキーの位置が特定のキーの他の側に存在すると第２の位置判別手段にて判別した場合に、スクロール表示領域における特定のキーの他の側にポップアップを表示する第２のポップアップ表示手段とを含む。
【００１８】
上記画像形成装置において好ましくは、操作画面は、スクロール表示領域とは異なる他の領域をさらに含み、通知手段は、ポップアップの背景を半透明にし、かつポップアップをスクロール表示領域および他の領域上に表示する。
【００１９】
上記画像形成装置において好ましくは、通知手段は、他の条件が変更されたことを通知するメッセージをスクロール表示領域とは異なる領域に表示する。
【００２０】
上記画像形成装置において好ましくは、通知手段は、他の条件が変更されたことを音声で通知する。
【００２１】
上記画像形成装置において好ましくは、表示判別手段による判別結果にかかわらず、スクロール表示領域における特定のキーに隣接する位置に他のキーを移動して表示するキー移動手段と、スクロール表示領域に端部キーを表示し続けると表示判別手段にて判別した場合に、スクロール表示領域に表示されるキーの所定の方向のサイズを縮小することにより、変更手段にて他の条件を変更した後もスクロール表示領域に端部キーを表示し続ける縮小表示手段とを備える。
【００２２】
上記画像形成装置において好ましくは、ジョブの条件と複数のキーに含まれるキーとを互いに関連付けた情報である関連性情報を記憶する記憶装置をさらに備え、関連性情報において、設定受付手段にて設定を受け付けたジョブの条件に端部キーが関連付けられている場合、表示判別手段は端部キーを表示し続けると判別し、関連性情報において、設定受付手段にて受け付けた設定に端部キーが関連付けられていない場合、表示判別手段は端部キーを表示し続けないと判別する。
【００２３】
上記画像形成装置において好ましくは、記憶装置は、ユーザーごとに異なる関連性情報を記憶し、ユーザーの認証を行う認証手段をさらに備え、表示判別手段は、認証手段にて認証したユーザーの関連性情報を用いて、端部キーを表示し続けるか否かを判別する。
【００２４】
上記画像形成装置において好ましくは、記憶装置は、利用用途に応じて異なる関連性情報を記憶し、ジョブに使用する原稿の情報、または設定受付手段にて設定を受け付ける前に入力された情報に基づいて、利用用途を検出する用途検出手段をさらに備え、表示判別手段は、用途検出手段にて検出した利用用途に適した関連性情報を用いて、端部キーを表示し続けるか否かを判別する。
【００２５】
上記画像形成装置において好ましくは、表示判別手段は、設定受付手段にて設定を受け付ける前に端部キーを通じてジョブの条件の設定を受け付けている場合には、端部キーと、設定受付手段にて設定を受け付けたジョブの条件との関連性の有無にかかわらず、スクロール表示領域に端部キーを表示し続けないと判別する。
【００２６】
本発明の他の局面に従う画像形成装置の制御プログラムは、スクロール表示対象として所定の方向に配列した複数のキーであって、ジョブの条件の設定を受付可能な複数のキーの一部を表示したスクロール表示領域を含む操作画面を表示する画面表示手段と、操作画面への操作を受け付ける操作受付手段と、操作画面へのスクロール操作を操作受付手段にて受け付けた場合に、スクロール表示領域に表示されるキーを所定の方向にスクロールさせるスクロール手段とを備えた画像形成装置の制御プログラムであって、制御プログラムは、スクロール表示領域に表示された特定のキーを通じてジョブの条件の設定を受け付ける設定受付ステップと、設定受付ステップにて設定を受け付けた場合に、特定のキーを通じて設定されたジョブの条件に関連付けられた他の条件であって、複数のキーのうち特定のキーとは異なる他のキーを通じて設定を受付可能な他の条件を変更する変更ステップと、設定受付ステップにて設定を受け付ける際にスクロール表示領域の所定の方向の端部に表示されている端部キーであって、スクロール表示領域における特定のキーに隣接する位置に他のキーを移動して表示した場合にスクロール表示領域から消去されることが予測される端部キーと、設定受付ステップにて設定を受け付けたジョブの条件との関連性の有無に基づいて、変更ステップにて他の条件を変更した後もスクロール表示領域に端部キーを表示し続けるか否かを判別する表示判別ステップとをコンピューターに実行させるためのものである。
【発明の効果】
【００２７】
本発明によれば、視認性および操作性を向上することのできる画像形成装置および画像形成装置の制御プログラムを提供することができる。
【図面の簡単な説明】
【００２８】
【図１】本発明の一実施の形態における画像形成装置１００の構成を概念的に示す図である。
【図２】本発明の一実施の形態における画像形成装置１００の構成を模式的に示すブロック図である。
【図３】本発明の一実施の形態において表示部１０７ａに表示される、第１の状態の操作画面ＳＮを示す図である。
【図４】本発明の一実施の形態における複数のキーＫＹのデフォルトの配列順序を示す図である。
【図５】本発明の一実施の形態において表示部１０７ａに表示される、第２の状態の操作画面ＳＮを示す図である。
【図６】本発明の一実施の形態の第１の状態の操作画面ＳＮにおいて、領域ＲＧ１に表示された「用紙」キーＫＹ１を通じて、コピージョブに使用する用紙の種類をＯＨＰフィルムにする設定を受け付けた状態を示す図である。
【図７】本発明の一実施の形態における「原稿画質」キーＫＹ３の移動に伴う「用紙」キーＫＹ１、「原稿の向き」キーＫＹ２、および「原稿画質」キーＫＹ３の位置関係の変化を示す図である。
【図８】本発明の一実施の形態の表示判別処理において、原稿画質の項目のコピージョブの条件を変更した後、領域ＲＧ１に「原稿の向き」キーＫＹ２を表示し続けないと判別した場合に表示される操作画面ＳＮを示す図である。
【図９】本発明の一実施の形態の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【図１０】本発明の一実施の形態の第２の状態の操作画面ＳＮにおいて、領域ＲＧ１に表示された「仕上げ」キーＫＹ１１を通じて、用紙をＺ折りする設定を受け付けた状態を示す図である。
【図１１】本発明の一実施の形態における「用紙」キーＫＹ１３の移動に伴う「仕上げ」キーＫＹ１１、「原稿サイズ」キーＫＹ１２、および「用紙」キーＫＹ１３の位置関係の変化を示す図である。
【図１２】本発明の一実施の形態の表示判別処理において、用紙の種類の項目のコピージョブの条件を変更した後、領域ＲＧ１に「原稿サイズ」キーＫＹ１２を表示し続けないと判別した場合に表示される操作画面ＳＮを示す図である。
【図１３】本発明の一実施の形態の表示判別処理において、用紙の種類の項目のコピージョブの条件を変更した後も、領域ＲＧ１に「原稿サイズ」キーＫＹ１２を表示し続けると判別した場合に表示される操作画面ＳＮを示す図である。
【図１４】本発明の一実施の形態において、補助記憶装置１１０が記憶する関連性テーブルを示す図である。
【図１５】本発明の一実施の形態における画像形成装置１００の動作を示すフローチャートの第１の部分である。
【図１６】本発明の一実施の形態における画像形成装置１００の動作を示すフローチャートの第２の部分である。
【図１７】本発明の一実施の形態の第１の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【図１８】本発明の一実施の形態の第２の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【図１９】本発明の一実施の形態の第３の変形例の表示判別処理において、原稿画質の項目のコピージョブの条件を変更した後も、領域ＲＧ１に「原稿の向き」キーＫＹ２を表示し続けると判別した場合に画像形成装置１００が発する音声およびユーザーの音声を模式的に示す図である。
【図２０】本発明の一実施の形態の第４の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【発明を実施するための形態】
【００２９】
以下、本発明の一実施の形態について、図面に基づいて説明する。
【００３０】
本実施の形態では、画像形成装置がＭＦＰである場合について説明する。画像形成装置はＭＦＰの他、ファクシミリ装置、複写機、またはプリンターなどであってもよいし、モノクロ用およびカラー用のいずれであってもよい。
【００３１】
（画像形成装置の構成）
【００３２】
図１は、本発明の一実施の形態における画像形成装置１００の構成を概念的に示す図である。なお図１においては、画像形成装置１００の一部の構成が断面で示されている。
【００３３】
図１を参照して、画像形成装置１００（画像形成装置の一例）は、用紙搬送部１０と、トナー像形成部（プリンター部）２０と、定着部３０と、後処理部（後処理装置）４０と、スキャナー部５０と、流し込み型のＡＤＦ（自動原稿給送装置）６０とを主に備えている。画像形成装置１００の下部には、３段の給紙トレイ７１が配置されており、給紙トレイ７１の図１中右側には大容量の給紙トレイ７３が配置されている。プリント時には、給紙トレイ７１または７３に装てんされた用紙は、１枚ずつ用紙搬送部１０によって搬送経路１３に沿って搬送される。用紙は、用紙搬送部１０の給紙ローラー（第二給紙ローラー）１１などによってトナー像形成部２０へ搬送される。トナー像形成部２０は、感光体などを含むイメージングユニット２１と、転写ローラー２２とを含んでいる。トナー像形成部２０は、イメージングユニット２１により感光体上に形成したトナー像を、転写ローラー２２によって用紙に転写する。トナー像が転写された用紙は、次に定着部３０に搬送される。定着部３０は、加熱ローラーと加圧ローラーなどを含んでいる。定着部３０は、トナー像が転写された用紙を、加熱ローラーと加圧ローラーとで挟みながら搬送し、その間に加熱および加圧を行う。これにより定着部３０は、用紙に付着したトナーを熱に溶融させて用紙に定着させる。定着部３０によってトナー像が定着された用紙は、搬送経路１２を経由して後処理部４０へ搬送される。その後用紙は、後処理部４０で必要な後処理が施された後で、排紙トレイ７５へ排出される。
【００３４】
トナー像形成部２０の上部にはスキャナー部５０が設けられており、その上には開閉可能なＡＤＦ６０が設けられている。ＡＤＦ６０を閉じた状態で原稿の読み込みを行う場合には、ＡＤＦ６０の給紙トレイ６１に原稿が積載される。給紙トレイ６１に積載された原稿は、ＡＤＦ６０内をスリットガラス（ＡＤＦ原稿読取用スリットガラス）５１へ搬送される。スキャナー部５０は、スリットガラス５１を通過する原稿の表面を読み取る。スリットガラス５１を通過した原稿は、必要に応じてＡＤＦ６０内の図示しないＣＩＳ（Ｃｏｎｔａｃｔ  Ｉｍａｇｅ  Ｓｅｎｓｏｒ）によりその裏面が読み取られ、排紙トレイ６２へ排出される。このように画像を読み取ることにより、一回の通紙で原稿の両面の画像を同時に読み取ることができる。またＡＤＦ６０を開いた状態で原稿の読み込みを行う場合には、スキャナー部５０は、プラテンガラス５２上に配置された原稿を読み取る。
【００３５】
画像形成装置１００の前面には、操作パネル（操作部）１０６が設けられている。画像形成装置１００の内部には、ＨＤＤ（Ｈａｒｄ  Ｄｉｓｋ  Ｄｒｉｖｅ）よりなる補助記憶装置１１０（図２）が設けられている。
【００３６】
画像形成装置１００は、ネットワーク３００を通じて外部機器２００に接続されている。画像形成装置１００および外部機器２００は相互に通信を行う。
【００３７】
図２は、本発明の一実施の形態における画像形成装置１００の構成を模式的に示すブロック図である。
【００３８】
図２を参照して、画像形成装置１００は、ＣＰＵ（Ｃｅｎｔｒａｌ  Ｐｒｏｃｅｓｓｉｎｇ  Ｕｎｉｔ）１０１（変更手段、表示判別手段、第１および第２の位置判別手段、ならびに用途検出手段の一例）と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、プリント処理部１０４と、画像処理部１０５と、操作パネル１０６と、補助記憶装置１１０（記憶装置の一例）と、外部インターフェース１１１と、スキャナー処理部１１２と、スピーカー１１３（通知手段の一例）と、マイク１１４と、認証部１１５（認証手段の一例）とを備えている。ＣＰＵ１０１と、ＲＯＭ１０２、ＲＡＭ１０３、プリント処理部１０４、画像処理部１０５、操作パネル１０６、補助記憶装置１１０、外部インターフェース１１１、スキャナー処理部１１２、スピーカー１１３、マイク１１４、および認証部１１５の各々とは、相互に接続されている。
【００３９】
ＣＰＵ１０１は、画像形成装置１００全体の動作を制御する。ＣＰＵ１０１は、ＲＯＭ１０２に記憶されたプログラムを実行する。
【００４０】
ＲＯＭ１０２は、ＣＰＵ１０１が実行する制御プログラムや、画像形成装置１００の各種設置情報などを記憶する。
【００４１】
ＲＡＭ１０３は、ＣＰＵ１０１の作業用のメモリであり、ＣＰＵ１０１が制御プログラムを動作する為に必要なデータや画像データ（スキャン画像データ、プリント画像データ、または仕上がりプレビュー画像データ）などを一時的に記憶する。
【００４２】
プリント処理部１０４は、原稿画像と付加情報との印刷を行う。
【００４３】
画像処理部１０５は、印刷データの画像処理を行う。画像処理部１０５は、たとえば画像データの文字幅の調整、またはコントラストや配色の変換などを行う。
【００４４】
操作パネル１０６は、ユーザーからの操作の受付やユーザーへの表示を行うＵＩ（ユーザーインタフェース）である。操作パネル１０６は、タッチパネル１０７を含んでおり、タッチパネル１０７は、表示部１０７ａ（画面表示手段、スクロール手段、キー移動手段、キー表示手段、通知手段、および縮小表示手段の一例）と、操作部１０７ｂ（操作受付手段および設定受付手段の一例）とを含んでいる。表示部１０７ａは、ＬＣＤ（Ｌｉｑｕｉｄ  Ｃｒｙｓｔａｌ  Ｄｉｓｐｌａｙ）などよりなっており、操作画面などの各種情報を表示する。操作部１０７ｂは、表示部１０７ａの表面に貼り付けられており、表示部１０７ａに表示した操作画面などの情報への操作を受け付ける（検知する）。
【００４５】
補助記憶装置１１０は、各種情報を記憶する。また補助記憶装置１１０は、ＲＡＭ１０３の空き容量が足りなくなった場合に利用される。
【００４６】
外部インターフェース１１１は、イーサネットやＵＳＢ（Ｕｎｉｖｅｒｓａｌ  Ｓｅｒｉａｌ  Ｂｕｓ）などを用いて、外部機器２００との間で各種の情報（仕上がりプレビュー画像など）を送受信する。
【００４７】
スキャナー処理部１１２は、スキャナー部５０で読み取った原稿の画像データを作成する。
【００４８】
スピーカー１１３は、所要の場合に音声を発する。
【００４９】
マイク１１４は、所要の場合に集音する。
【００５０】
認証部１１５は、ユーザーから入力されたＩＤ（Ｉｄｅｎｔｉｆｉｃａｔｉｏｎ）およびパスワードに基づいてそのユーザーを認証する。
【００５１】
（操作パネルのスクロール表示態様）
【００５２】
図３は、本発明の一実施の形態において表示部１０７ａに表示される、第１の状態の操作画面ＳＮを示す図である。
【００５３】
図３を参照して、操作画面ＳＮ（操作画面の一例）は、コピージョブの各種条件の設定を受け付ける画面であり、領域ＲＧ１、ＲＧ２、およびＲＧ３と、スクロールバーＢＲとを含んでいる。領域ＲＧ１は、コピージョブの条件の各種項目の設定を受付可能である複数のキーＫＹの一部を表示したスクロール表示領域である。複数のキーＫＹの各々は、スクロール表示対象として領域ＲＧ１において上下方向に配列している。領域ＲＧ１に表示されているキーＫＹの各々の右端部には、それぞれのキーを通じて設定されているコピージョブの条件（「Ａ４」、「カラー」、「片面＞片面」など）が表示されている。領域ＲＧ１に表示されているいずれかのキーＫＹの押下を受け付けた場合に、ＣＰＵ１０１は、そのキーＫＹに関連するコピージョブの条件の項目についての、設定可能な選択肢のポップアップを操作画面ＳＮ上に表示し、その項目についてのコピージョブの条件の設定を受け付ける。
【００５４】
領域ＲＧ１と領域ＲＧ２との間には、領域ＲＧ１に表示されるキーＫＹを上下方向にスクロールするためのスクロールバーＢＲが表示されている。
【００５５】
領域ＲＧ２は、コピージョブにおけるコピーする部数の設定を行うための数字キーおよび設定されている部数を表示した領域である。
【００５６】
領域ＲＧ３は、キーＫ１、キーＫ２、およびキーＫ３が表示される領域である。キーＫ１は、コピージョブの実行を停止するためのストップキーである。キーＫ２は、コピージョブの設定した条件をリセットするためのリセットキーである。キーＫ３は、コピージョブの実行指示を行うためのコピーキーである。
【００５７】
なお、操作画面ＳＮは、プリントジョブの各種条件の設定を受け付ける画面であってもよい。スクロール表示領域のスクロール方向は任意である。
【００５８】
図４は、本発明の一実施の形態における複数のキーＫＹのデフォルトの配列順序を示す図である。
【００５９】
図３および図４を参照して、複数のキーＫＹは、上下方向に配列している。具体的には、用紙の種類を設定するための「用紙」キーと、印刷する色の種類を設定するための「カラー」キーと、原稿の読取面および印刷面の各々を片面および両面のいずれにするかを設定するための「両面設定」キーと、画像の倍率を設定するための「倍率」キーと、ページ集約を設定するための「ページ集約」キーと、原稿の向きを設定するための「原稿の向き」キーと、原稿サイズを設定するための「原稿サイズ」キーと、サイズが異なる原稿のコピーの有無を設定するための「混載原稿」キーと、原稿画質の設定を受け付ける「原稿画質」キーと、原稿の連続読込みの有無を設定するための「連続読込み」キーと、自動での原稿画像の回転の有無を設定するための「自動画像回転」と、後処理を設定するための「仕上げ」キーとが、この順序で上から下に向かって配列している。
【００６０】
第１の状態および後述する第２の状態の操作画面ＳＮでは、複数のキーＫＹがデフォルトの配列順序で配列している。第１の状態の操作画面ＳＮでは、図４の配列順序の上部に存在する「用紙」キー、「カラー」キー、「両面設定」キー、「倍率」キー、「ページ集約」キー、および「原稿の向き」キーが領域ＲＧ１に表示されている。
【００６１】
第１の状態の操作画面ＳＮへのスクロール操作を操作部１０７ｂが受け付けた場合に、表示部１０７ａは、領域ＲＧ１に表示されるキーを下方向にスクロールさせ、図５に示す第２の状態の操作画面ＳＮを表示する。第１の状態の操作画面ＳＮへのスクロール操作とは、領域ＲＧ１での矢印ＡＲ１で示す上方向のフリック操作、またはスクロールバーＢＲを下方向に移動する操作である。
【００６２】
図５は、本発明の一実施の形態において表示部１０７ａに表示される、第２の状態の操作画面ＳＮを示す図である。
【００６３】
図５を参照して、第２の状態の操作画面ＳＮでは、図４の配列順序の下部に存在する「原稿サイズ」キー、「混載原稿」キー、「原稿画質」キー、「連続読込み」キー、「自動画像回転」キー、および「仕上げ」キーが領域ＲＧ１に表示されている。
【００６４】
第２の状態の操作画面ＳＮへのスクロール操作を操作部１０７ｂが受け付けた場合に、表示部１０７ａは、領域ＲＧ１に表示されるキーを上方向にスクロールさせ、図４に示す第１の状態の操作画面ＳＮを表示する。第２の状態の操作画面ＳＮへのスクロール操作とは、領域ＲＧ１での矢印ＡＲ２で示す下方向のフリック操作、またはスクロールバーＢＲを上方向に移動する操作である。
【００６５】
（特定のキーを通じてジョブの条件の設定を受け付けた場合の画像形成装置の動作）
【００６６】
図６は、本発明の一実施の形態の第１の状態の操作画面ＳＮにおいて、領域ＲＧ１に表示された「用紙」キーＫＹ１を通じて、コピージョブに使用する用紙の種類をＯＨＰフィルムにする設定を受け付けた状態を示す図である。
【００６７】
図６を参照して、ここでは、図３に示す第１の状態の操作画面ＳＮにおいて、領域ＲＧ１に表示された「用紙」キーＫＹ１（特定のキーの一例）を通じて、コピージョブに使用する用紙の種類をＯＨＰフィルムにする設定を受け付けた場合を想定する。用紙の種類をＯＨＰフィルムにする設定を受け付けると、「用紙」キーＫＹ１にはマークＭＫ（たとえば黄色の点）が表示される。マークＭＫは、そのキーを通じてコピージョブの条件がデフォルトの条件から変更されたことを示すものである。
【００６８】
図７は、本発明の一実施の形態における「原稿画質」キーＫＹ３の移動に伴う「用紙」キーＫＹ１、「原稿の向き」キーＫＹ２、および「原稿画質」キーＫＹ３の位置関係の変化を示す図である。
【００６９】
図７を参照して、ＣＰＵ１０１は、コピージョブの条件の設定（後設定）を受け付けた場合に、設定された条件に関連付けられた他の条件の設定（先設定）を、ユーザーの操作を介さずに自動的に変更する後優先動作を行う。後優先動作を行うコピージョブの条件の組合せの情報は、補助記憶装置１１０に記憶されている。
【００７０】
後優先動作の例としては次のものがある。カラー設定の項目でオートカラーという条件が事前に設定されている状態で、ユーザーの操作によって用紙の種類がＯＨＰ用フィルムに変更された場合、カラー設定の項目がブラックに自動的に変更される。用紙の項目で普通紙および両面２面目が設定されている状態で、仕上げの項目がＺ折りに変更された場合、用紙の項目が普通紙に自動的に変更される。
【００７１】
ここでは、用紙の種類がＯＨＰフィルムであるという条件には、原稿画質の設定内容が「文字写真  印刷写真」であるという条件が関連付けられている。ＯＨＰフィルムに対して印刷を行う場合には、高画質で印刷する必要があるためである。したがって、ＣＰＵ１０１は、用紙の種類をＯＨＰフィルムにする設定を受け付けた場合に、原稿画質の項目のコピージョブの条件を「文字写真  印刷写真」に変更（設定）する後優先動作を行う。
【００７２】
原稿画質の項目のコピージョブの条件の設定を受付可能な「原稿画質」キーＫＹ３（他のキーの一例）は、第１の状態の操作画面ＳＮの領域ＲＧ１には表示されていない。第１の状態の操作画面ＳＮ（用紙の種類をＯＨＰフィルムにする設定を受け付けた操作画面ＳＮ）の領域ＲＧ１の下方向の端部（デフォルトの配列順序で「用紙」キーＫＹ１から見て「原稿画質」キーＫＹ３が存在する方向の端部）には「原稿の向き」キーＫＹ２（端部キーの一例）が表示されており、「原稿画質」キーＫＹ３の配列順序は「原稿の向き」キーＫＹ２よりも下であるためである。
【００７３】
「原稿の向き」キーＫＹ２と「原稿画質」キーＫＹ３との位置関係に着目する。仮に矢印ＡＲ３で示すように、「用紙」キーＫＹ１に下側で隣接する位置に「原稿画質」キーＫＹ３を移動して表示した場合に、「原稿の向き」キーＫＹ２は領域ＲＧ１から消去されることが予測される。
【００７４】
ＣＰＵ１０１は、コピージョブの条件の設定を受け付ける際に領域ＲＧ１の所定の方向の端部に表示されている端部キーであって、領域ＲＧ１における設定を受け付けたキーに隣接する位置に、設定されたジョブの条件に関連付けられた他の条件の設定を受け付け可能な他のキーを移動して表示した場合に領域ＲＧ１から消去されることが予測される端部キーと、設定を受け付けたコピージョブの条件との関連性の有無に基づいて、他の条件を変更した後も領域ＲＧ１に端部キーを表示し続けるか否かを判別する（以降、この判別処理を表示判別処理と記すことがある）。表示判別処理の詳細については後述する。
【００７５】
具体的には、ＣＰＵ１０１は、原稿画質の項目のコピージョブの条件を「文字写真  印刷写真」に自動的に変更した場合に、表示判別処理として、「原稿の向き」キーＫＹ２と、用紙の種類がＯＨＰフィルムであるという条件との関連性の有無に基づいて、原稿画質の項目のコピージョブの条件を変更した後も、領域ＲＧ１に「原稿の向き」キーＫＹ２を表示し続けるか否かを判別する。
【００７６】
図８は、本発明の一実施の形態の表示判別処理において、原稿画質の項目のコピージョブの条件を変更した後、領域ＲＧ１に「原稿の向き」キーＫＹ２を表示し続けないと判別した場合に表示される操作画面ＳＮを示す図である。
【００７７】
図７および図８を参照して、表示判別処理において、「原稿の向き」キーＫＹ２と、用紙の種類がＯＨＰフィルムであるという条件との関連性が無い場合、ＣＰＵ１０１は、領域ＲＧ１に「原稿の向き」キーＫＹ２を表示し続けないと判別する。ＣＰＵ１０１は矢印ＡＲ３で示すように、領域ＲＧ１における「用紙」キーＫＹ１の下側（デフォルトの配列順序で「用紙」キーＫＹ１から見て「原稿画質」キーＫＹ３が存在している側）で隣接する位置に、「原稿画質」キーＫＹ３を移動して表示する。複数のキーＫＹの配列順序は、デフォルトの配列順序から変更される。キーＫＹ３の右端部には、「文字写真  印刷写真」というコピージョブの条件が表示される。これにより、「原稿画質」に関する条件が自動的に変更された事実がユーザーに通知される。
【００７８】
「原稿画質」キーＫＹ３を移動して表示したことに伴い、「カラー」キーＫＹ、「両面設定」キーＫＹ、「倍率」キーＫＹ、および「ページ集約」キーＫＹの各々の表示位置は１つ下にスライドし、「原稿の向き」キーＫＹ２は領域ＲＧ１から消去される。しかし、「原稿の向き」キーＫＹ２と、用紙の種類がＯＨＰフィルムであるという条件との関連性は無いため、用紙の種類がＯＨＰフィルムであるという条件の設定に続いて、ユーザーが「原稿の向き」キーＫＹ２に関連するコピージョブの条件を設定または確認したいと思っている可能性は低い。したがって、視認性および操作性の低下を最小限に留めることができる。
【００７９】
図９は、本発明の一実施の形態の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【００８０】
図９を参照して、表示判別処理において、「原稿の向き」キーＫＹ２と、用紙の種類がＯＨＰフィルムであるという条件との関連性がある場合、ＣＰＵ１０１は、領域ＲＧ１に「原稿の向き」キーＫＹ２を表示し続けると判別する。ＣＰＵ１０１は、「原稿画質」キーＫＹ３を移動しないことで、領域ＲＧ１に「原稿向き」キーＫＹ２を表示し続ける。複数のキーＫＹの配列順序は、デフォルトの配列順序のまま変わらない。ＣＰＵ１０１は、「原稿画質」キーＫＹ３を移動しない代わりに、キーＫＹ１の下側（デフォルトの配列順序で「用紙」キーＫＹ１から見て「原稿画質」キーＫＹ３が存在している側）に、原稿画質に関する条件が変更されたことを通知するポップアップＰＰ１を領域ＲＧ１内に表示する。これにより、原稿画質に関する条件が自動的に変更された事実がユーザーに通知される。
【００８１】
「原稿画質」キーＫＹ３を移動しないことに伴い、「原稿の向き」キーＫＹ２は領域ＲＧ１に表示され続ける。「原稿の向き」キーＫＹ２と、用紙の種類がＯＨＰフィルムであるという条件との関連性があるため、用紙の種類がＯＨＰフィルムであるという条件の設定に続いて、ユーザーが「原稿の向き」キーＫＹ２に関連するジョブの条件を設定または確認したいと思っている可能性は高い。したがって、視認性および操作性を向上することができる。
【００８２】
図１０は、本発明の一実施の形態の第２の状態の操作画面ＳＮにおいて、領域ＲＧ１に表示された「仕上げ」キーＫＹ１１を通じて、用紙をＺ折りする設定を受け付けた状態を示す図である。
【００８３】
図１０を参照して、ここでは、図５に示す第２の状態の操作画面ＳＮにおいて、領域ＲＧ１に表示された「仕上げ」キーＫＹ１１（特定のキーの一例）を通じて、用紙をＺ折りする設定を受け付けた場合を想定する。用紙をＺ折りする設定を受け付けると、キーＫＹ１１にはマークＭＫが表示される。
【００８４】
図１１は、本発明の一実施の形態における「用紙」キーＫＹ１３の移動に伴う「仕上げ」キーＫＹ１１、「原稿サイズ」キーＫＹ１２、および「用紙」キーＫＹ１３の位置関係の変化を示す図である。
【００８５】
図１１を参照して、ここでは、用紙をＺ折りするという条件には、用紙の種類が「普通紙」であるという条件が関連付けられている。用紙をＺ折りする場合には、用紙がＺ折りするのに適した普通紙である必要があるためである。したがって、ＣＰＵ１０１は、用紙をＺ折りする設定を受け付けた場合に、用紙の種類の項目のコピージョブの条件を「普通紙」に変更（設定）する後優先動作を行う。
【００８６】
用紙の種類の項目のコピージョブの条件の設定を受付可能な「用紙」キーＫＹ１３（他のキーの一例）は、第２の状態の操作画面ＳＮの領域ＲＧ１には表示されていない。第２の状態の操作画面ＳＮ（用紙をＺ折りする設定を受け付けた操作画面ＳＮ）の領域ＲＧ１の上方向の端部（デフォルトの配列順序で「仕上げ」キーＫＹ１１から見て「用紙」キーＫＹ１３が存在する方向の端部）には「原稿サイズ」キーＫＹ１２（端部キーの一例）が表示されており、「用紙」キーＫＹ１３の配列順序は「原稿サイズ」キーＫＹ１２よりも下であるためである。
【００８７】
ここで、「原稿サイズ」キーＫＹ１２と「用紙」キーＫＹ１３との位置関係に着目する。仮に矢印ＡＲ４で示すように、「仕上げ」キーＫＹ１１に上側で隣接する位置に「用紙」キーＫＹ１３を移動して表示した場合に、「原稿サイズ」キーＫＹ１２は領域ＲＧ１から消去されることが予測される。
【００８８】
ＣＰＵ１０１は、用紙の種類の項目のコピージョブの条件を「普通紙」に自動的に変更した場合に、表示判別処理として、「原稿サイズ」キーＫＹ１２と、用紙をＺ折りするという条件との関連性の有無に基づいて、用紙の種類の項目のコピージョブの条件を変更した後も、領域ＲＧ１に「原稿サイズ」キーＫＹ１２を表示し続けるか否かを判別する。
【００８９】
図１２は、本発明の一実施の形態の表示判別処理において、用紙の種類の項目のコピージョブの条件を変更した後、領域ＲＧ１に「原稿サイズ」キーＫＹ１２を表示し続けないと判別した場合に表示される操作画面ＳＮを示す図である。
【００９０】
図１１および図１２を参照して、表示判別処理において、「原稿サイズ」キーＫＹ１２と、用紙をＺ折りするという条件との関連性が無い場合、ＣＰＵ１０１は、領域ＲＧ１に「原稿サイズ」キーＫＹ１２を表示し続けないと判別する。ＣＰＵ１０１は矢印ＡＲ４で示すように、領域ＲＧ１における「仕上げ」キーＫＹ１１の上側（デフォルトの配列順序で「仕上げ」キーＫＹ１１から見て「用紙」キーＫＹ１３が存在している側）で隣接する位置に、「用紙」キーＫＹ１３を移動して表示する。複数のキーＫＹの配列順序は、デフォルトの配列順序から変更される。キーＫＹ１３の右端部には、「普通紙」というコピージョブの条件が表示される。これにより、用紙の種類に関する条件が自動的に変更された事実がユーザーに通知される。
【００９１】
「用紙」キーＫＹ１３を移動して表示したことに伴い、「自動画像回転」キーＫＹ、「連続読込み」キーＫＹ、「原稿画質」キーＫＹ、および「混載原稿」キーＫＹの各々の表示位置は１つ上にスライドし、「原稿サイズ」キーＫＹ１２は領域ＲＧ１から消去される。しかし、「原稿サイズ」キーＫＹ１２と、用紙をＺ折りするという条件との関連性は無いため、用紙をＺ折りするという条件の設定に続いて、ユーザーが「原稿サイズ」キーＫＹ１２に関連するコピージョブの条件を設定または確認したいと思っている可能性は低い。したがって、視認性および操作性の低下を最小限に留めることができる。
【００９２】
図１３は、本発明の一実施の形態の表示判別処理において、用紙の種類の項目のコピージョブの条件を変更した後も、領域ＲＧ１に「原稿サイズ」キーＫＹ１２を表示し続けると判別した場合に表示される操作画面ＳＮを示す図である。
【００９３】
図１３を参照して、表示判別処理において、「原稿サイズ」キーＫＹ１２と、用紙をＺ折りするという条件との関連性があると判別した場合、ＣＰＵ１０１は、領域ＲＧ１に「原稿サイズ」キーＫＹ１２を表示し続けると判別する。ＣＰＵ１０１は「用紙」キーＫＹ１３を移動しないことで、領域ＲＧ１に「原稿サイズ」キーＫＹ１２を表示し続ける。複数のキーＫＹの配列順序は、デフォルトの配列順序のまま変わらない。ＣＰＵ１０１は、「用紙」キーＫＹ１３を移動しない代わりに、キーＫＹ１の上側（デフォルトの配列順序で「仕上げ」キーＫＹ１１から見て「用紙」キーＫＹ１３が存在している側）に、用紙の種類に関する条件が変更されたことを通知するポップアップＰＰ１１を領域ＲＧ１内に表示する。これにより、用紙の種類に関する条件が自動的に変更された事実がユーザーに通知される。
【００９４】
「用紙」キーＫＹ１３を移動しないことに伴い、「原稿サイズ」キーＫＹ１２は領域ＲＧ１に表示され続ける。「原稿サイズ」キーＫＹ１２と「仕上げ」キーＫＹ１１とは関連性があるため、用紙をＺ折りするという条件の設定に続いて、ユーザーが「原稿サイズ」キーＫＹ１２に関連するコピージョブの条件を設定または確認したいと思っている可能性は高い。したがって、視認性および操作性を向上することができる。
【００９５】
なお、特定のキーを通じて設定を受け付ける前に端部キーを通じてジョブの条件の設定を既に受け付けている場合には、端部キーと設定を受け付けたジョブの条件との関連性の有無にかかわらず、領域ＲＧ１に端部キーを表示し続けないと判別してもよい。
【００９６】
（表示判別処理）
【００９７】
図１４は、本発明の一実施の形態において、補助記憶装置１１０が記憶する関連性テーブルを示す図である。
【００９８】
図１４を参照して、関連性テーブルとは、ジョブの条件とスクロール表示領域に表示可能なキーとを互いに関連付けた情報である。左側の欄に記載された１つのコピージョブの条件に対して、関連付けられているキーが横方向並べて記載されている。ここでは、用紙の種類が普通紙であるというコピージョブの条件には、「両面設定」キー、「ページ集約」キー、および「倍率」キーが関連付けられている。用紙の種類がＯＨＰ用フィルムであるというコピージョブの条件には、「カラー」キー、「濃度」キー、および「原稿画質」キーが関連付けられている。用紙の種類が封筒であるというコピージョブの条件には、「原稿画質」キー、および「濃度」キーが関連付けられている。１つのジョブの条件に関連付けられるキーの個数は任意である。
【００９９】
表示判別処理において、ＣＰＵ１０１は、関連性テーブルのジョブの条件の欄から、設定を受け付けたコピージョブの条件を検索する。ＣＰＵ１０１は、設定を受け付けたコピージョブの条件を見つけた場合に、そのコピージョブの条件に関連付けられているキーの中から端部キーを検索する。ＣＰＵ１０１は、端部キーを見つけた場合には、設定を受け付けたコピージョブの条件と端部キーとの間に関連性があると判断し、端部キーを領域ＲＧ１に表示し続けると判別する。設定を受け付けたコピージョブの条件を見つけない場合、または端部キーを見つけない場合には、設定を受け付けたコピージョブの条件と端部キーとの間に関連性が無いと判断し、端部キーを領域ＲＧ１に表示し続けないと判別する。
【０１００】
なお、補助記憶装置１１０は複数のユーザーの各々に関連付けられた互いに異なる複数の関連性テーブルを記憶していてもよい。ユーザーが画像形成装置１００にログインし、コピージョブの条件の設定を行った場合に、ＣＰＵ１０１は、認証部１１５にて認証したユーザーに関連付けられている関連性テーブルを用いて表示判別処理を行ってもよい。
【０１０１】
また、補助記憶装置１１０は利用用途に応じて互いに異なる複数の関連性テーブルを記憶していてもよい。ＣＰＵ１０１は、コピージョブに使用する原稿の情報（製本用原稿または免許証用原稿などの情報）、またはコピージョブの条件の設定を受け付ける前に入力された情報（たとえば、別のアプリ経由で登録されたジョブチケットや、画像形成装置１００の初期画面で選択された利用用途など）に基づいて、ＣＰＵ１０１は利用用途を検出し、検出した利用用途に適した関連性テーブルを用いて表示判別処理を行ってもよい。
【０１０２】
（フローチャート）
【０１０３】
図１５および図１６は、本発明の一実施の形態における画像形成装置１００の動作を示すフローチャートである。
【０１０４】
図１５を参照して、ＣＰＵ１０１は、領域ＲＧ１内に表示された特定のキーを通じてコピージョブの条件の設定を受け付けると（Ｓ１）、特定のキーにマークＭＫを付加し（Ｓ３）、設定されたコピージョブの条件に関連付けられた他の条件を自動的に変更する（Ｓ５）。次にＣＰＵ１０１は、変更した他の条件に関連するキーが領域ＲＧ１外の上部に存在するか否かを判別する（Ｓ７）。
【０１０５】
ステップＳ７において、変更した他の条件に関連するキーが領域ＲＧ１外の上部に存在すると判別した場合（Ｓ７でＹＥＳ）、ＣＰＵ１０１は、領域ＲＧ１の上端部に表示されているキーに関連するコピージョブの条件の項目は既に設定されているか否かを判別する（Ｓ９）。
【０１０６】
ステップＳ９において、領域ＲＧ１の上端部に表示されているキーに関連するコピージョブの条件の項目が既に設定されていると判別した場合（Ｓ９でＹＥＳ）、ＣＰＵ１０１は、その設定がユーザーの操作によるもの（領域ＲＧ１に表示されるキーを通じて行われたもの）であるか否かを判別する（Ｓ１１）。
【０１０７】
ステップＳ９において、領域ＲＧ１の上端部に表示されているキーに関連するコピージョブの条件の項目が未だ設定されていないと判別した場合（Ｓ９でＮＯ）、またはステップＳ１１において、その設定がユーザーの操作によるものでないと判別した場合（Ｓ１１でＮＯ）、ＣＰＵ１０１は関連性テーブルを参照し、領域ＲＧ１の上端部に表示されているキーが、設定されたコピージョブの条件と関連性があるか否かを判別する（Ｓ１３）。
【０１０８】
ステップＳ１３において、領域ＲＧ１の上端部に表示されているキーが、設定されたコピージョブの条件と関連性があると判別した場合（Ｓ１３でＹＥＳ）、ＣＰＵ１０１は、変更した他の条件の内容を特定のキーの下方向にポップアップ表示し（Ｓ１５)、領域ＲＧ１の上端部に表示されているキーを表示し続け（Ｓ１７）、処理を終了する。
【０１０９】
ステップＳ１１において、その設定がユーザーの操作によるものであると判別した場合（Ｓ１１でＹＥＳ）、またはステップＳ１３において、領域ＲＧ１の上端部に表示されているキーが、設定されたコピージョブの条件と関連性が無いと判別した場合（Ｓ１３でＮＯ）、ＣＰＵ１０１は、他の条件に関連するキーを特定のキーの下側に移動し（Ｓ１９）、領域ＲＧ１の上端部に表示されているキーを消去し（Ｓ２１）、処理を終了する。
【０１１０】
ステップＳ７において、変更した他の条件に関連するキーが領域ＲＧ１外の上部に存在しないと判別した場合（Ｓ７でＮＯ）、ＣＰＵ１０１はステップＳ２３の処理へ進む。
【０１１１】
図１６を参照して、ステップＳ２３において、ＣＰＵ１０１は、変更した他の条件に関連するキーが領域ＲＧ１外の下部に存在するか否かを判別する（Ｓ２３）。
【０１１２】
ステップＳ２３において、変更した他の条件に関連するキーが領域ＲＧ１外の下部に存在すると判別した場合（Ｓ２３でＹＥＳ）、ＣＰＵ１０１は、領域ＲＧ１の下端部に表示されているキーに関連するコピージョブの条件の項目は既に設定されているか否かを判別する（Ｓ２５）。
【０１１３】
ステップＳ２５において、領域ＲＧ１の下端部に表示されているキーに関連するコピージョブの条件の項目が既に設定されていると判別した場合（Ｓ２５でＹＥＳ）、ＣＰＵ１０１は、その設定がユーザーの操作によるものであるか否かを判別する（Ｓ２７）。
【０１１４】
ステップＳ２５において、領域ＲＧ１の下端部に表示されているキーに関連するコピージョブの条件の項目が未だ設定されていないと判別した場合（Ｓ２５でＮＯ）、またはステップＳ２７において、その設定がユーザーの操作によるものでないと判別した場合（Ｓ２７でＮＯ）、ＣＰＵ１０１は関連性テーブルを参照し、領域ＲＧ１の下端部に表示されているキーが、設定されたコピージョブの条件と関連性があるか否かを判別する（Ｓ２９）。
【０１１５】
ステップＳ２９において、領域ＲＧ１の上端部に表示されているキーが、設定されたコピージョブの条件と関連性があると判別した場合（Ｓ２９でＹＥＳ）、ＣＰＵ１０１は、変更した他の条件の内容を特定のキーの上方向にポップアップ表示し（Ｓ３１)、領域ＲＧ１の下端部に表示されているキーを表示し続け（Ｓ３３）、処理を終了する。
【０１１６】
ステップＳ２７において、その設定がユーザーの操作によるものであると判別した場合（Ｓ２７でＹＥＳ）、またはステップＳ２９において、領域ＲＧ１の下端部に表示されているキーが、設定されたコピージョブの条件と関連性が無いと判別した場合（Ｓ２９でＮＯ）、ＣＰＵ１０１は、他の条件に関連するキーを特定のキーの上側に移動し（Ｓ３５）、領域ＲＧ１の下端部に表示されているキーを消去し（Ｓ３７）、処理を終了する。
【０１１７】
ステップＳ２３において、変更した他の条件に関連するキーが領域ＲＧ１外の下部に存在しないと判別した場合（Ｓ２３でＮＯ）、ＣＰＵ１０１は、キーの移動およびポップアップ表示をせず（Ｓ３９）、処理を終了する。
【０１１８】
（実施の形態の効果）
【０１１９】
本実施の形態によれば、スクロール表示領域の端部に表示されている端部キーと、特定のキーを通じて設定を受け付けたジョブの条件との関連性の有無に基づいて、端部キーを表示し続けるか否かが判別される。これにより、ユーザーが特定のキーを通じて行った条件の設定に続いて、端部キーを通じてコピージョブの条件を設定または確認したいと思っている可能性が高い場合に、スクロール表示領域に端部キーを表示し続けることができる。したがって、視認性および操作性を向上することができる。
【０１２０】
また、端部キーを表示し続けると判別した場合にポップアップを表示することで、後優先動作によるコピージョブの条件が自動的に変更された事実を通知することができる。
【０１２１】
さらに、特定のキーに対して他のキーが存在する側と同じ側を、他のキーの移動先としたりポップアップを表示する方向としたりすることで、視認性および操作性を一層向上することができる。
【０１２２】
（第１の変形例）
【０１２３】
図１７は、本発明の一実施の形態の第１の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【０１２４】
図１７を参照して、第１の変形例として、図９に示す状況において、ポップアップＰＰ１を表示する代わりにポップアップＰＰ２を表示することにより、原稿画質に関する条件が自動的に変更された事実がユーザーに通知されてもよい。
【０１２５】
ポップアップＰＰ２は、背景が半透明であり、領域ＲＧ１およびＲＧ２上に表示される。領域ＲＧ２は数字キーを表示した領域であるため、ＣＰＵ１０１は、数字キーの操作を受け付けた場合に、ポップアップＰＰ２を一時的に非表示にし、操作が終了して一定時間後（約２〜５秒後）に再度表示してもよい。これにより、ポップアップＰＰ２による数字キーの操作性の低下を抑止することができる。
【０１２６】
（第２の変形例）
【０１２７】
図１８は、本発明の一実施の形態の第２の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【０１２８】
図１８を参照して、第２の変形例として、図９に示す状況において、ポップアップＰＰ１を表示する代わりに（またはポップアップＰＰ１の表示とともに）、操作画面ＳＮ内に設けられたメッセージ表示領域（警告表示エリア）である領域ＲＧ４にメッセージＭＧを表示することにより、原稿画質に関する条件が自動的に変更された事実（警告表示）がユーザーに通知されてもよい。
【０１２９】
（第３の変形例）
【０１３０】
図１９は、本発明の一実施の形態の第３の変形例の表示判別処理において、原稿画質の項目のコピージョブの条件を変更した後も、領域ＲＧ１に「原稿の向き」キーＫＹ２を表示し続けると判別した場合に画像形成装置１００が発する音声およびユーザーの音声を模式的に示す図である。
【０１３１】
図１９を参照して、第３の変形例として、図９に示す状況において、ポップアップＰＰ１を表示する代わりに（またはポップアップＰＰ１の表示とともに）、スピーカー１１３から発せられる音声のメッセージにより、原稿画質に関する条件が自動的に変更された事実（警告表示）がユーザーに通知されてもよい。またこの場合、スピーカー１１３から集音したユーザーの音声による指示に従って、原稿画質に関する変更後の条件が表示部１０７ａに表示されてもよい。
【０１３２】
（第４の変形例）
【０１３３】
図２０は、本発明の一実施の形態の第４の変形例の表示判別処理において、原稿画質の項目のコピージョブの条件を変更した後も、領域ＲＧ１に「原稿の向き」キーＫＹ２を表示し続けると判別した場合に表示される操作画面ＳＮを示す図である。
【０１３４】
図２０を参照して、第４の変形例として、ＣＰＵ１０１は、表示判別処理の判別結果にかかわらず、領域ＲＧ１における「用紙」キーＫＹ１の下側（デフォルトの配列順序で「用紙」キーＫＹ１から見て「原稿画質」キーＫＹ３が存在している側）で隣接する位置に、「原稿画質」キーＫＹ３を移動して表示してもよい。この場合において、原稿画質の項目のコピージョブの条件を変更した後も領域ＲＧ１に「原稿の向き」キーＫＹ２を表示し続けると表示判別処理で判別したときは、ＣＰＵ１０１は、領域ＲＧ１に表示されるキーＫＹの上下方向のサイズを幅Ｗ２（＜Ｗ１（図６））に縮小してもよい。これにより、領域ＲＧ１に表示されるキーＫＹの数が１つ増加され、「原稿の向き」キーＫＹ２が表示され続けられてもよい。
【０１３５】
（その他）
【０１３６】
上述の実施の形態および変形例は適宜組み合わせることが可能である。
【０１３７】
上述の実施の形態および変形例における処理は、ソフトウェアにより行っても、ハードウェア回路を用いて行ってもよい。また、上述の実施の形態および変形例における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１３８】
上述の実施の形態および変形例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３９】
１０  用紙搬送部
１２，１３  搬送経路
２０  トナー像形成部
２１  イメージングユニット
２２  転写ローラー
３０  定着部
４０  後処理部
５０  スキャナー部
５１  スリットガラス
５２  プラテンガラス
６０  ＡＤＦ（Ａｕｔｏ  Ｄｏｃｕｍｅｎｔ  Ｆｅｅｄｅｒ）
６１，７１，７３  給紙トレイ
６２，７５  排紙トレイ
１００  画像形成装置（画像形成装置の一例）
１０１  ＣＰＵ（Ｃｅｎｔｒａｌ  Ｐｒｏｃｅｓｓｉｎｇ  Ｕｎｉｔ）（変更手段、表示判別手段、第１および第２の位置判別手段、ならびに用途検出手段の一例）
１０２  ＲＯＭ（Ｒｅａｄ  Ｏｎｌｙ  Ｍｅｍｏｒｙ）
１０３  ＲＡＭ（Ｒａｎｄｏｍ  Ａｃｃｅｓｓ  Ｍｅｍｏｒｙ）
１０４  プリント処理部
１０５  画像処理部
１０６  操作パネル
１０７  タッチパネル
１０７ａ  表示部（画面表示手段、スクロール手段、キー移動手段、キー表示手段、通知手段、および縮小表示手段の一例）
１０７ｂ  操作部（操作受付手段および設定受付手段の一例）
１１０  補助記憶装置（記憶装置の一例）
１１１  外部インターフェース
１１２  スキャナー処理部
１１３  スピーカー（通知手段の一例）
１１４  マイク
１１５  認証部（認証手段の一例）
２００  外部機器
３００  ネットワーク
ＢＲ  スクロールバー
ＲＧ１，ＲＧ２，ＲＧ３，ＲＧ４  操作画面内の領域
Ｋ１，Ｋ２，Ｋ３，ＫＹ，ＫＹ１，ＫＹ２，ＫＹ３，ＫＹ１１，ＫＹ１２，ＫＹ１３  キー
ＭＧ  メッセージ
ＭＫ  マーク
ＰＰ１，ＰＰ２，ＰＰ１１  ポップアップ
ＳＮ  操作画面（操作画面の一例）
【図１】
2020075452.tif 000003
【図２】
2020075452.tif 000004
【図３】
2020075452.tif 000005
【図４】
2020075452.tif 000006
【図５】
2020075452.tif 000007
【図６】
2020075452.tif 000008
【図７】
2020075452.tif 000009
【図８】
2020075452.tif 000010
【図９】
2020075452.tif 000011
【図１０】
2020075452.tif 000012
【図１１】
2020075452.tif 000013
【図１２】
2020075452.tif 000014
【図１３】
2020075452.tif 000015
【図１４】
2020075452.tif 000016
【図１５】
2020075452.tif 000017
【図１６】
2020075452.tif 000018
【図１７】
2020075452.tif 000019
【図１８】
2020075452.tif 000020
【図１９】
2020075452.tif 000021
【図２０】
2020075452.tif 000022